(57)【要約】【課題】噴角調整、および噴射と停止を容易に行える噴霧ノズルを提供する。【解決手段】レバー５０に回動自在にフック５５が設けられ、本体部３１に、フック５５を掛止、取り外し可能な掛止部５８が、レバー５０に対して接離方向に所要位置まで移動可能に設けられて成り、所要位置に移動された掛止部５８に、フック５５を掛止し、および該掛止部５８からフック５５を取り外すことにより、噴口３５から所要噴角に調節された水流を噴出可能、および直ちに該水流の噴出を停止可能なことを特徴とする。【選択図】図１
2010110717.tif 000002
【特許請求の範囲】
【請求項１】
流路を有する本体部と、流路先端部に配設された、噴口を有するノズル部と、流路内に移動自在に配設された可動軸と、可動軸先端に配設され、前記噴口を開閉する弁体と、可動軸を噴口方向に付勢するスプリングと、可動軸に連繋されるとともに、本体部に回動自在に配設され、スプリングの付勢力に抗して可動軸を移動させるレバーとを有し、前記弁体が、前記噴口に接近した位置では噴角の広がった霧状に、離反した位置では次第に直状に水もしくは薬液を噴出する噴霧ノズルにおいて、
前記レバーに回動自在にフックが設けられ、
前記本体部に、前記フックを掛止、取り外し可能な掛止部が、前記レバーに対して接離方向に所要位置まで移動可能に設けられて成り、
所要位置に移動された前記掛止部に、前記フックを掛止し、および該掛止部からフックを取り外すことにより、前記噴口から所要噴角に調節された水流を噴出可能、および直ちに該水流の噴出を停止可能なことを特徴とする噴霧ノズル。
【請求項２】
前記フックを前記掛止部に対する掛止方向に付勢する付勢部材が設けられていることを特徴とする請求項１記載の噴霧ノズル。
【請求項３】
前記フックが前記付勢部材に付勢されて当接しながら移動して掛止部に掛止する傾斜案内部が、前記掛止部に隣接して設けられていることを特徴とする請求項２記載の噴霧ノズル。
【請求項４】
該掛止部を手動にて移動させる移動手段が設けられていることを特徴とする請求項１〜３いずれか１項記載の噴霧ノズル。
【請求項５】
前記移動手段は、前記本体部に設けられたウォーム歯車装置であり、該ウォーム歯車装置のラックが本体部に移動可能にガイドされ、前記掛止部が、該ラックに設けられていることを特徴とする請求項４記載の噴霧ノズル。
【請求項６】
流路を有する本体部と、流路先端部に配設された、噴口を有するノズル部と、流路内に移動自在に配設された可動軸と、可動軸先端に配設され、前記噴口を開閉する弁体と、可動軸を噴口方向に付勢するスプリングと、可動軸に連繋されるとともに、本体部に回動自在に配設され、スプリングの付勢力に抗して可動軸を移動させるレバーとを有し、前記弁体が、前記噴口に接近した位置では噴角の広がった霧状に、離反した位置では次第に直状に水もしくは薬液を噴出する噴霧ノズルにおいて、
前記レバーに回動自在にフックが設けられ、
前記本体部に、前記フックを掛止、取り外し可能な掛止部が、前記レバーに対して所要間隔をおいて複数個所に設けられて成り、
所要位置の前記掛止部に、前記フックを掛止し、および該掛止部からフックを取り外すことにより、前記噴口から所要噴角に調節された水流を噴出可能、および直ちに該水流の噴出を停止可能なことを特徴とする噴霧ノズル。
【発明の詳細な説明】
【技術分野】
【０００１】
本発明は、噴角の調整、および噴射と停止を容易に行える噴霧ノズルに関する。
【背景技術】
【０００２】
植物への水やりや、薬液の噴霧には、ホースに噴霧ノズルを取り付けてなされる。
噴霧ノズルには種々のタイプのものがあるが、簡易な構成のものとしてガン（ピストル）タイプのものが知られている。
図２、図３に示すものは、従来のガンタイプの噴霧ノズルの一例である。
この噴霧ノズル１０は、流路１２を有する本体部１３と、流路先端部に配設された、噴口１４を有するノズル部１５と、流路１２内に移動自在に配設された可動軸１６と、可動軸１６先端に配設され、噴口１４を開閉する弁体１７と、可動軸１６を噴口１４方向に付勢するスプリング１８と、可動軸１６にコネクタ１９を介して連繋されるとともに、本体部１３に軸２０を中心に回動自在に配設され、スプリング１８の付勢力に抗して可動軸１６を移動させるレバー２１とを有し、レバー２１を操作することによって弁体１７を移動させ、弁体１７が、噴口１４に接近した位置では霧状に、離反した位置では次第に直状に水もしくは薬液を噴出するようになっている。
【０００３】
また、本体１３上に、調節ナット２２が設けられ、この調節ナット２２にレバー２１が掛止できるようになっている。調節ナット２２を本体１３上の所要の位置に移動し、レバー２１の戻りを規制することによって、噴角の調整、および噴角の固定ができるようになっている。このガンタイプの噴霧ノズルは、例えば特開平７−６８２１０公報に記載されている。
その他、噴角を調整、および噴角を固定する方法は、可動軸の移動経路上に障害物を設け、軸の戻りを規制する方法がある。
また、単に噴角を固定する方法としては、レバーにフック、本体部に掛止部を設け（あるいはその逆）、掛止部にフックを掛止して、レバーを所要位置に固定し、これにより噴角を固定するものなどがある。
【０００４】
【特許文献１】特開平７−６８２０１号公報
【発明の開示】
【発明が解決しようとする課題】
【０００５】
上記特許文献１に記載された噴霧ノズルや、可動軸の移動経路上に障害物を設けるものにおいては、噴角を固定する上では便利であるが、噴射を停止するには、調整ナット２２や障害物を初期位置まで戻さねばならず、厄介である。また、一旦初期位置まで戻すと、今度は、再度、先の調整位置まで調整ナット２２等を戻すのが困難になる。そのため、例えばホースの接続部等に、開閉バルブを別途設けたりしており、部品点数が多くなり、コスト高となる課題がある。また、噴角調整には、両手を用いて行う必要があり、厄介である。
また、フックを掛止部に掛止して噴角を調整するものにおいては、噴射、停止、同じ噴角への復帰は容易に行うことができるが、噴角を無段階に調節することはできないという課題がある。
そこで本発明は上記課題を解決すべくなされたもので、その目的とするところは、噴角調整、および噴射と停止を容易に行える噴霧ノズルを提供するにある。
【課題を解決するための手段】
【０００６】
本発明に係る噴霧ノズルは、流路を有する本体部と、流路先端部に配設された、噴口を有するノズル部と、流路内に移動自在に配設された可動軸と、可動軸先端に配設され、前記噴口を開閉する弁体と、可動軸を噴口方向に付勢するスプリングと、可動軸に連繋されるとともに、本体部に回動自在に配設され、スプリングの付勢力に抗して可動軸を移動させるレバーとを有し、前記弁体が、前記噴口に接近した位置では噴角の広がった霧状に、離反した位置では次第に直状に水もしくは薬液を噴出する噴霧ノズルにおいて、前記レバーに回動自在にフックが設けられ、前記本体部に、前記フックを掛止、取り外し可能な掛止部が、前記レバーに対して接離方向に所要位置まで移動可能に設けられて成り、所要位置に移動された前記掛止部に、前記フックを掛止し、および該掛止部からフックを取り外すことにより、前記噴口から所要噴角に調節された水流を噴出可能、および直ちに該水流の噴出を停止可能なことを特徴とする。
【０００７】
前記フックを前記掛止部に対する掛止方向に付勢する付勢部材が設けられていることを特徴とする。
前記フックが前記付勢部材に付勢されて当接しながら移動して掛止部に掛止する傾斜案内部が、前記掛止部に隣接して設けられていることを特徴とする。
該掛止部を手動にて移動させる移動手段が設けられていることを特徴とする。
また、前記移動手段は、前記本体部に設けられたウォーム歯車装置であり、該ウォーム歯車装置のラックが本体部に移動可能にガイドされ、前記掛止部が、該ラックに設けられていることを特徴とする。
【０００８】
また本発明にかかる噴霧ノズルは、流路を有する本体部と、流路先端部に配設された、噴口を有するノズル部と、流路内に移動自在に配設された可動軸と、可動軸先端に配設され、前記噴口を開閉する弁体と、可動軸を噴口方向に付勢するスプリングと、可動軸に連繋されるとともに、本体部に回動自在に配設され、スプリングの付勢力に抗して可動軸を移動させるレバーとを有し、前記弁体が、前記噴口に接近した位置では噴角の広がった霧状に、離反した位置では次第に直状に水もしくは薬液を噴出する噴霧ノズルにおいて、前記レバーに回動自在にフックが設けられ、前記本体部に、前記フックを掛止、取り外し可能な掛止部が、前記レバーに対して所要間隔をおいて複数個所に設けられて成り、所要位置の前記掛止部に、前記フックを掛止し、および該掛止部からフックを取り外すことにより、前記噴口から所要噴角に調節された水流を噴出可能、および直ちに該水流の噴出を停止可能なことを特徴とする。
【発明の効果】
【０００９】
本発明によれば、所要位置に移動された掛止部に、もしくは、複数の掛止部のうち所要位置の掛止部に、フックを掛止し、および該フックから取り外すことにより、噴口から所要噴角に調節された水流を噴出可能、および直ちに該水流の噴出を停止可能となる。
【発明を実施するための最良の形態】
【００１０】
以下本発明の好適な実施の形態を添付図面に基づき詳細に説明する。
図１は本実施の形態に係る噴霧ノズル３０の断面図である。
噴霧ノズル３０の噴霧機構は公知のものであるので、以下簡単に説明する。
噴霧ノズル３０は、ガン（ピストル）タイプのものであり、への字状をなす本体部３１を有する。
本体部３１は、把持部３２と噴出管３３とを有する。
把持部３２内、および噴出管３３内に流路３４が形成されている。把持部３２の後端側にホース（図示せず）が接続される。
【００１１】
噴出管（流路）３３の先端部には、噴口３５を有するノズルチップ（ノズル部）３６が、パッキン３７を介して取り付けられる。具体的には、フードキャップ３８を噴出管３３の先端部に螺着することによって、フードキャップ３８によりノズルチップ３６を噴出管３３先端部に挟み込むことでノズルチップ３６が取り付けられる。
【００１２】
噴出管３３の流路３４内には、可動軸４０が移動自在に配設される。
可動軸４０の先端部には、弁体４１が配設され、弁体４１は、可動軸４０が軸線方向に移動することで、噴口３５を開閉するようになっている。なお、４２はストップ弁であり、ゴム等の弾性部材で形成され、弁体４１を受けとめる。ストップ弁４２にも、噴口３５に通じる孔が開口されている。
噴出管３３の後端側には、流路３４に通じる空洞４４が開口され、可動軸４０は、この空洞４４を通じて流路３４内に挿入される。空洞４４は、ネジ４５が螺着されることによって密封される。ネジ４５と可動軸４０の後端部との間にはスプリング４６が介挿され、可動軸４０はこのスプリング４６によって噴口３５方向に付勢され、弁体４１がストップ弁４２に押しつけられることによって、噴口３５が閉塞される。
可動軸４０の外周にはＯリング４８が配設され、これにより可動軸４０と空洞４４内壁との間が液密にシールされる。
【００１３】
５０は、レバーであり、軸５１によって本体部３１に回動自在に軸着されている。
レバー５０は、可動軸４０にピン５２を介して連繋され、スプリング４６の付勢力に抗して可動軸（弁体）４０を噴口３５から離れる方向に移動させることができるようになっている。
ピン５２は、空洞４４における本体部に設けた長孔（図示せず）を貫通して外部に突出し、レバー５０に設けた孔（図示せず）に嵌入している。
【００１４】
把持部３２およびレバー５０に手をかけ、レバー５０を把持部３２側に回動させると、弁体４１が噴口３５を開き、水（薬液）が噴口３５から前方に噴出する。
弁体４１には、外周に螺旋溝が切ってあり（この部分の弁体を虫とも言う）、この螺旋溝により水流が渦流となり、弁体４１が噴口３５に近いときは、水流は、噴角の広い霧状となって噴出し、弁体４１が噴口３５から離れるにしたがって、直線状の水流となって噴出される。
【００１５】
次に、５５はレバー５０に回動自在に設けられたフックである。
フック５５は、細長のリング状に設けられ、先端部が、把持部３２に前後方向に長く開口された貫通孔５６内を通過している。
把持部３２には、ウォーム歯車装置（移動手段）が組み込まれている。
ウォーム歯車装置のラック５７が、把持部３２内において、レバー５０に対して接離する方向に移動可能にガイドされて設けられている。このラック５７に、貫通孔５６を挿通するフック５５の先端部が掛止可能な掛止部５８が設けられている。
６０はウォームギアであり、把持部３２内に軸６１を中心として回転可能に設けられていて、ラック５７に噛合している。ウォームギア６０の周面の一部は把持部３２から突出しており、外部から手動にて容易に回転させられるようになっている。ウォームギア６０を回転させることによって、ラック５７を介して掛止部５８を貫通孔５６内で、レバー５０に対して接離する方向に移動可能である。
【００１６】
フック５５のレバー５０への取付部（回動部）には、つる巻きばね（付勢部材：図示せず）が配設され、フック５５の先端側を下方、すなわち、掛止部５８への掛止方向に付勢している。
また、掛止部５８のレバー５０側の壁面は、レバー５０側に低くなる傾斜面６２に形成されている。
【００１７】
本実施の形態は上記のように構成されている。
前記のようにして、ウォームギア６０を回転し、掛止部５８を貫通孔５６内で任意の位置に移動し、この移動した掛止部５８にフック５５の先端部を掛止することで、レバー５０を任意の回動角度位置で固定することができる。したがって、噴口３５から噴出する水流の噴角を容易に調整し、またその噴角を維持したまま水流の噴射を行える。
そして、水流の噴射を停止するには、つる巻きばね（付勢部材）の付勢力に抗してフック５５先端部を押し上げ、掛止部５８へのフック５５の掛止を外せばよい。これによって、可動軸４０はスプリング４６の付勢力によって初期位置に復帰し、弁体４１が噴口３５を閉塞するので、水流の噴出が停止する。
【００１８】
再度、同じ噴角で水流を噴射させるには、停止している掛止部５８にそのままフック５５先端部を掛止させるだけでよい。一々、ウォームギア６０を回転させて調整する必要はないので好適である。
また、フック５５先端部を掛止部５８に掛止させるには、レバー５０を引くだけでよい。すなわち、フック５５先端部はつる巻きばねによって常時下方に付勢されているので、レバー５０を引くと、フック５５先端部は傾斜面（傾斜案内面）６２に当接しながら移動して掛止部５８に自動的に掛止する。
なお、付勢部材はつる巻きばねに限定されることはない。また、付勢部材は必ずしも設けなくともよい。
【００１９】
また、移動手段も上記ウォーム歯車装置に限定されるものではない。
例えば、前記貫通孔５６内で、レバー５０に対して接離する移動駒（図示せず）を把持部３２にスライド自在に設け、この移動駒を例えばクリック機構によって、複数の位置で停止可能に設け、この移動駒に掛止部を設けるようにしてもよい。これにより、複数の停止箇所にて掛止部を停止させ、停止位置で掛止部にフックを掛止することで、レバー５０の回動角度位置を調整することができる。
【００２０】
あるいは、貫通孔５６内において、複数の独立した掛止部を所定間隔をおいて固定して設けるだけでもよい（図示せず）。
所要位置の掛止部にフック先端部を掛止するようにすることで、レバー５０の回動角度位置を複数段階で調整することができる。
【図面の簡単な説明】
【００２１】
【図１】噴霧ノズルの一実施の形態を示す断面図である。
【図２】従来の噴霧ノズルの一例を示す断面図である。
【図３】図２の噴霧ノズルの正面図である。
【符号の説明】
【００２２】
３０  噴霧ノズル
３１  本体部
３２  把持部
３３  噴出管
３４  流路
３５  噴口
３６  ノズルチップ
３７  パッキン
３８  フードキャップ
４０  可動軸
４１  弁体
４２  ストップ弁
４４  空洞
４５  ネジ
４６  スプリング
５０  レバー
５１  軸
５２  ピン
５５  フック
５６  貫通孔
５７  ラック
５８  掛止部
６０  ウォームギア
６１  軸
６２  傾斜面
【図１】
2010110717.tif 000003
【図２】
2010110717.tif 000004
【図３】
2010110717.tif 000005